(57)【要約】      （修正有）【課題】打球抵抗が少なく高い弾道の球筋となり、壊れにくいゴルフ用ティを提供する。【解決手段】ティを脚２と支持具１に分離し、脚２と支持具１の接続部の一方を凸の球状、他方を凹の球状とし、脚２に対して支持具１が接続部の回動芯３を中心に全方向回動可能として一方向にストッパー４を設けて回動出来なくし、回動芯３に対しボールを載せる台の中心線をストッパー側にずらすようにして、ボールを打ち出した時にボールが回動芯３を中心とする円の接線方向に飛び出すようになるとともに、打ち出し方向が飛球方向と多少ずれてもスムーズに回動し壊れにくいティとなる。【選択図】図１
0003151360.tif 000002
【実用新案登録請求の範囲】
【請求項１】
ゴルフ用ティを地面に突き刺して自立させる脚２とボールを載せる支持具１に分離し回動可能に接続して、脚２に対する支持具１の回動の一方向へ、回動を制限するストッパー４を設け、脚２を直立し支持具1がストッパー4により回動が制限された状態時に、回動芯3に対し、支持具1に載せたボール6の重心線６ｆを支持具1の回動が制限される側にずらしたゴルフ用ティにおいて、脚2と支持具1の接続部5の一方を凸の球状、他方を凹の球状とし凹の接続部１ａに凸の接続部2ａを嵌めこみ接続して、支持具1が脚2に対して接続部5の回動芯3を中心に全方向回動出来るようにし、脚2に対する支持具1の回動の一方向へ、回動を制限するストッパー4を設け、脚2を直立し支持具1がストッパー4により回動が制限された状態時に、回動芯3に対し支持具1に載せたボールの重心線６ｆを脚2に対する支持具1の回動が制限される側にずらしたゴルフ用ティ
【請求項２】
ストッパー4を脚2と支持具1の各々の一部が当たる構成にするとともに、脚2を直立させる釘部2ｃの中心線2ｆを脚2の接続部2ａの球心2ｅからずらし、接続具1の台の中心線1ｆと大凡一致させて、テイアップした時に釘部2ｃの中心線2ｆが接続具１の台１ｃに乗せたボール６の重心線６ｆと大凡一致し、接続具１の台１ｃに載せたボール６を押すと、脚２の釘部２ｃの中心線２ｆ上部を押す様になる請求項１記載のゴルフ用ティ
【考案の詳細な説明】
【技術分野】
【０００１】
本考案はゴルフボールをティアップする際に用いるゴルフ用ティ（以下ティと称す）に関する。
【背景技術】
【０００２】
ティはゴルフボールを打ち易い高さにティアップする器具で、一端に土に刺す釘状の脚、他端にボールを載せる皿状の台を設けた棒状の形状が一般的であるが、ゴルファーの少しでも遠くに飛ばしたい要求から様々なティが提案されている。
【０００３】
特許文献１はティを地面に差し込んで自立させる脚２とボールを載せる台１ｃを設けた支持具１に分離し回動可能に接続して、脚２に対する支持具１の回動の一方向へ、回動を制限するストッパー４を設け、脚２を直立し支持具１がストッパー４により回動が制限された状態時に、脚２に対する支持具１の回動が制限される側に、回動芯３に対し支持具１に載せたボール６の重心６ｆ線をずらして、ティアップした際のボールの安定性と打球時のクラブ抵抗をなくすようにしている。
【０００４】
しかし、脚２と支持具１とを軸７により接続しているので、脚２に対する支持具１の回動が軸７に直角な方向に限られ、回動方向から打ち出し方向がそれた場合、打球時のクラブ抵抗低減効果の減少とともにティが破損する欠点があった。
【特許文献１】特開２００７−０３７６２１
【考案の開示】
【考案が解決しようとする課題】
【０００５】
本考案は前述したティの課題に鑑み、打球時のクラブ抵抗が少なく、ボールが高い弾道となり遠くに飛び、壊れにくいティを提供することである。
【課題を解決するための手段】
【０００６】
前述の課題を解決するために、ティを脚２と支持具１に分離し、脚2と支持具1の接続部5の一方を凸の球状、他方を凹の球状とし、凹の接続部１ａに凸の接続部２ａを嵌めこみ、脚２に対して支持具１が接続部５の回動芯３を中心に全方向回動出来るように接続し、脚２に対する支持具１の回動の一方向へ、回動を制限するストッパー４を設け、脚２を直立し支持具１がストッパー４により回動が制限された状態時に、回動芯３に対し支持具１に載せたボールの重心線６ｆを脚２に対する支持具１の回動が制限される側にずらしたティであるから、脚２と支持具１がストッパー４を設けた一方向を除き、あらゆる方向に回動できるので、打ち出し方向がそれても、支持具１は回動が可能となりティへの無理な力が加わることなくティが壊れることがない。
【０００７】
そして脚２を直立させ支持具１がストッパー４により回動が制限された状態時に、脚２に対する支持具１の回動が制限される側にボールの重力が回動力として働くので、ボールを載せたティアップ状態が安定化するティとなる。
【０００８】
又ボール６を打ち出した場合、回動芯３を中心にボール６と支持具１が一体的に回動しようとするので、ボール６は回動の円６ｈの接線方向Ａに飛球することとなりボールが高い弾道となり遠くに飛ぶティである。
【０００９】
さらにストッパー４を脚２と支持具１の各々の一部が当たる構成にするとともに、脚2の釘部2ｃの中心線2ｆを脚2の接続部2ａの球心２ｅからずらし、接続具1の台1ｃの中心線1ｆと大凡一致させて、釘部2ｃの中心線2ｆが接続具1に乗せたボールの重心線6ｆと大凡一致して、接続具1に載せたボール6を押すと、脚2の釘部2ｃの中心線2ｆ上部を押す様にしたので、ボールをティの台に乗せた状態にして、ティを地面に直立させ、ボールを押すことでティを地面に突き刺すことができるティである。
【考案の効果】
【００１０】
本考案のティはティを脚2と支持具1に分離し、脚2と支持具1の接続部5の一方を凸の球状、他方を凹の球状とし、脚2に対して支持具1が接続部5の回動芯3を中心に全方向回動可能に接続するとともに、一方向にストッパー4を設け、回動芯3に対して支持具1に載せたボールの重心線６ｆを脚2に対する支持具1の回動が制限される側にずらしたティとして、ストッパー４が飛球後方になるように脚2を地面に差し込み、ティアップすると、ボール6の重力によりテーアップ状態を維持し安定してティアップとなり、ボール６を打ち出すと回動芯3を中心にボール6と支持具1が一体的に回動しボール6は回動の円６ｈの接線方向Ａに飛球し高い弾道となり遠くに飛ぶティであると同時に、脚2に対して支持具1が全方向回動可能に接続されているので、飛球方向と打ち出し方向が多少ずれても、支障なく打ち出すことができ、ティに無理な力が加わることがなく、ティも壊れない。
【００１１】
又ストッパー4を脚2と支持具1の各々の一部が当たる構成にするとともに、脚２を直立させる釘部2ｃの中心線2ｆを脚2の接続部２ａの球心２ｅからずらし、釘部2ｃの中心線2ｆを接続具1の台1ｃの中心線1ｆと大凡一致させて、テイアップした時に、接続具1の台1ｃに載せたボール6を押すと、脚2の釘部2ｃの中心線2ｆ上部を押す様にしたので、従来のティアップと同様にティにボールをセットしてからティを地面に刺すことが可能となり、動作を変えることなくティアップできる。
【考案を実施するための最良の形態】
【００１２】
本考案の実施の形態を、図面を参照しつつ説明する。解り易くするために従来例と本考案の実施例との符号を一致さて表記した。本実施例は、脚と支持具を接続する接続部の構造を脚を凸の球状、支持具を凹の球状とした例であるが、勿論これに限るものではない。
【００１３】
本考案ティの第一実施例の正面図を図1、支持具１の縦断面を図２，その脚２の正面図を図３に示す。脚２は一方を地面に差し込む為の釘部２ｃとし、他方を接続部２ａとして、凸の球状に形成する。釘部２ｃの上端部の接続部２ａ近傍に鍔２ｂを突き出し、鍔２ｂの側面の当部２ｄと接続部２ａに接続する支持具１の下端側面の当部１ｂが当たるようにして、脚２に対する支持具１の回動を制限するストッパー４を構成する。
【００１４】
支持具１は上部に皿形状のボールを載せる台１ｃ、下部は脚２の接続部２ａと接続する脚２の凸の球より僅かに大きな径の、一部をカットした半球より少し大きな凹の球状に形成した接続部１ａからなり、接続部１ａの凹の球状の球心１ｅが台１ｃの中心線１ｆからＥずれた位置になっている。
【００１５】
又支持具１の台１ｃの中心線１ｆに寄った下端側面に、ティを地面に直立させ、支持具１の台１ｃが水平になった時に、脚２の鍔２ｂの当部２ｄに当たりストッパー４を構成する、当部１ｂを設ける。
【００１６】
支持具１の接続部１ａの凹の球に脚２の接続部２ａの凸の球を圧入し、脚２に対して支持具１が急激回動しても抜けないように組み付ける。
【００１７】
圧入する場合、支持具１の接続部１ａを温め熱膨張させると圧入が容易になる。接続部１ａの球のカット面１ｇに切り込みを入れて、接続部２ａの凸の球の圧入（挿入）を容易にし、圧入（挿入）後切り込み接着する等、接続部１ａと接続部２ａの接続は、凹の球から凸の球が容易に抜けず、スムーズに回動するように接続すればよい。
【００１８】
前述に如く凸の球を僅かに大きな径の凹の球に圧入し組み付けられたティは、接続部５の球状の球心（中心）を回動芯３として、脚２に対し支持具１がストッパー４の方向を除き全方向に回動可能となる。
【００１９】
接続部１ａのカット面１ｇをストッパー４を背側に開いた状態に傾斜仰角Ｆを大きくしてストッパー４と反対方向への回転可能範囲を大きくするとよい。
【００２０】
前述の如く組み付けたティは図１に示す如く脚２の釘部２ｃを直立させ支持具１をストッパー４により止まるまで回動させると、接続部５の回動芯３に対して支持具１の台１ｃの中心線１ｆがストッパー４の方向にＥずれた位置になると共に台１ｃが水平になる。
【００２１】
本考案ティの第二実施例の正面図を図４、支持具の縦断面図を図５、脚の正面図を図６に示す。支持具１は脚２の鍔２ｂの当部２ｄに当たりストッパー４を構成する当部１ｂを、支持具１の台１ｃの中心線１ｆの下端面に設けた以外は第一実施例の支持具１と変わりない。
【００２２】
脚２は接続部２ａの球心２ｅを釘部２ｃの中心線２ｆからＥずらし接続部２ａが釘部２ｃの斜め上方に位置しるようにして、接続部２ａに接続する支持具１の下端面の当部１ｂが当たり支持具１の回動を制限するストッパー４を構成する当部２ｄを釘部２ｃ上部の鍔２ｂ上面に設ける。それ以外は第一実施例の脚２と変わりない。
【００２３】
第一実施例と同様、支持具１の接続部１ａの凹の球に脚２の接続部２ａの凸の球を圧入し組み付けたティは脚２の釘部２ｃを直立させ支持具１をストッパー４により止まるまで回動がさせると、接続部５の回動芯３に対して支持具１の台１ｃの中心線１ｆがストッパー４の方向にＥずれた位置になると共に台１ｃが水平になる。
【００２４】
さらに接続部２ａの球心２ｅを釘部２ｃの中心線２ｆからＥずらし当部２ｄを釘部２ｃ上部の鍔２ｂ上面に設けたので、支持具１の台１ｃの中心線１ｆと脚２の釘部２ｃの中心線２ｆが一致し、支持具１の台１ｃの中心線１ｆ下端面に設けた当部１ｂが脚２の当部２ｄ当たり、台１ｃに載せたボール６を押すと釘部２ｃ上部を押すこととなる。
【００２５】
前述の如く組み付けたティは支持具１の接続部５が飛球方向（ストッパー４が飛球後方）になるよう脚２の釘部２ｃを地面に直立させ、ボールを載せティアップする。図７はティアップした状態の正面図である。第二実施例のティの場合は従来のティと同様にボール６を台１ｃに載せて支持具１と共に持ち、脚２がストッパー４に当たった状態となるように少し傾斜させて、接続部５が飛球方向となるように釘部２ｃを地面に当てボール６を押し突き刺しセットアップすることもできるので従来と同様な動作でのセットアップとなり使い勝手の良いティとなる。
【００２６】
ボール６をクラブヘッドで打球方向Ｂに打ち出すとボール６は支持具１と共に回動芯３を中心に円６ｈの回動方向Ｃに回動しようとして、仰角Ｄ°の円６ｈの接線方向Ａに飛び出すことになり高い弾道の球筋となる。接続部５の回動芯３と支持具１の台１ｃの中心線１ｆとのずらした距離Ｅに比例して仰角Ｄ°が変化するので、距離Ｅを調節し仰角Ｄ°をクラブのロフト角（打ち出し角）にすれば、クラブの面が円６ｈの接線方向Ａを向きボールの飛び出し方向と一致し、力をロスすること無く、ロフト角に見合った高い弾道の球筋となり遠くに飛ぶようになる。支持具１は接続部５が球状で接続されているので、打ち出された方向がセットアップした飛球方向と多少違っても、打ち出された方向に回動し、壊れることはない。
【図面の簡単な説明】
【００２７】
【図１】本考案に係るティの第一実施例の正面図
【図２】第一実施例の支持具１の縦断面図
【図３】第一実施例の脚２の正面図
【図４】本考案に係るティの第二実施例の正面図
【図５】第二実施例の支持具１の縦断面図
【図６】第二実施例の脚の正面図
【図７】特開２００７−０３７６２１に係るティの正面図
【図８】本考案に係るティのセットアップ状態図
【符号の説明】
【００２８】
１―――支持具  １ａ―――接続部  １ｂ―――当部    １ｃ―――台
１ｅ―――球心  １ｆ―――中心線  ２―――脚    ２ａ―――接続部
２ｂ―――鍔    ２ｃ―――釘  ２ｄ―――当部      ２ｅ―――球心
２ｆ―――中心線    ３―――回動芯    ４―――ストッパー      ５―――接続部    ６―――ボール    6ｆ―――ボールの重心線    ６ｈ―――円    Ａ―――接線方向  Ｂ―――打球方向    Ｃ―――回動方向      
【図１】
0003151360.tif 000003
【図２】
0003151360.tif 000004
【図３】
0003151360.tif 000005
【図４】
0003151360.tif 000006
【図５】
0003151360.tif 000007
【図６】
0003151360.tif 000008
【図７】
0003151360.tif 000009
【図８】
0003151360.tif 000010